(57)【要約】  開示されるのは、動物用のバンドにユニットを結合するためのアクセサリ組立体（１００、２００、３００）である。一実施形態では、アクセサリ組立体（１００、２００、３００）は、支持フレーム（１０２、２０２、３０２）を含み、支持フレーム（１０２、２０２、３０２）は、支持フレーム（１０２、２０２、３０２）の一端に配置されたロック間隙（１２０）、支持フレーム（１０２、２０２、３０２）の他端に配置されたラッチ突起（１１４）、基部に配置された受容孔（３４０ａ）、および、少なくとも一つのストラップ（１０４、１１４、２０４ａ、２０４ｂ、３０４ａ、３０４ｂ）に結合するように構成された複数のストラップ保持構造体（１０６ａ、２０６ａ、３０６ａ）を含み、ストラップ（２０４ａ、３０４ａ）は動物用のバンドに結合するように構成される。アクセサリ組立体（１００、２００、３００）は、結合ラッチ（１１０、２１０、３１０）の一端に配置されたアクチュエータ（１１２、２１２、３１２）およびアクチュエータ（１１２、２１２、３１２）とは反対側の結合ラッチ（１１０、２１０、３１０）の他端に配置されたロック機構（１１８、２１８、３１８）を含む結合ラッチ（１１０、２１０、３１０）をさらに含み、結合ラッチ（１１０、２１０、３１０）は、ロック間隙（１２０）内にロック機構（１１８、２１８、３１８）を設置し、ラッチ突起（１１４）周りにアクチュエータ（１１２、２１２、３１２）を配置することによって支持フレーム（１０２、２０２、３０２）に結合されるように構成され、結合ラッチ（１１０、２１０，３１０）は、受容孔（３４０ａ）の方へアクチュエータ（１１２、２１２、３１２）に加えられる力に応じてロック機構（１１８、２１８、３１８）を横方向に移動させるようにさらに構成される。
2019530437.tif 000002
【特許請求の範囲】
【請求項１】
動物用のバンドにユニットを結合するためのアクセサリ組立体において、
支持フレームであって、該支持フレームが、該支持フレームの一端に配置されたロック間隙、該支持フレームの他端に配置されたラッチ突起、基部に配置された受容孔、および、少なくとも一つのストラップに結合するように構成された複数のストラップ保持構造体を含み、該少なくとも一つのストラップが動物用のバンドに結合するように構成される、支持フレーム、および
結合ラッチの一端に配置されたアクチュエータおよび該アクチュエータとは反対側の該結合ラッチの他端に配置されたロック機構を含む結合ラッチであって、該結合ラッチは、前記ロック間隙内に該ロック機構を設置し、前記ラッチ突起周りに該アクチュエータを配置することによって前記支持フレームに結合されるように構成され、該結合ラッチは、前記受容孔の方へ該アクチュエータに加えられる力に応じて該ロック機構を横方向に移動させるようにさらに構成される、結合ラッチ
を含むアクセサリ組立体。
【請求項２】
前記複数のストラップ保持構造体が、前記支持フレームの外縁から延出する、該支持フレームの概して対向し合う側部に配置された少なくとも二つのバンドフックを含み、該バンドフックの各々が、前記少なくとも一つのストラップの少なくとも一部に係合するように構成および配置される、請求項１記載のアクセサリ組立体。
【請求項３】
前記少なくとも二つのバンドフックのうちの少なくとも一つが概してＪ字形状の延長部を含む、請求項２記載のアクセサリ組立体。
【請求項４】
前記少なくとも一つのストラップが少なくとも一つの平面部および少なくとも二つの湾曲部を含み、該少なくとも二つの湾曲部の各々が、前記少なくとも二つのバンドフック上に配置されるように構成されたストラップ保持具受容部を含む、請求項２記載のアクセサリ組立体。
【請求項５】
前記複数のストラップ保持構造体が、前記支持フレームの対向し合う側部から延出するように配置された二対のストラップ保持構造体を含み、各対のストラップ保持構造体が、該支持フレームから延出し、反対方向に向かい合って離間し、間隙を形成する二つのアンカーを含み、各アンカーが、ストラップの少なくとも一部を受容するように構成された少なくとも一つの保持孔を含み、該ストラップが、該間隙内に少なくとも部分的に配置され、該少なくとも一つの保持孔に結合される、請求項１記載のアクセサリ組立体。
【請求項６】
前記複数のストラップ保持構造体が少なくとも二つのストラップ挿入スロットを含み、該二つのストラップ挿入スロットが、前記支持フレームの対向し合う側部に配置され、該フレームの頂面側から該フレームの底面側までの該フレームの少なくとも一部の部分を貫通し、該挿入スロットの少なくとも一つが少なくとも一つの凸部を含み、該少なくとも一つの凸部が、隣接する該頂面側から該挿入スロットの少なくとも一つの内表面から延出し、該少なくとも一つの挿入スロットの少なくとも部分的な長さおよび幅にわたって延在し、該少なくとも一つの凸部が、挿入されたストラップの少なくとも一部を支持するように構成される、請求項１記載のアクセサリ組立体。
【請求項７】
前記少なくとも一つのストラップが、Ｔ字形の端部および少なくとも一つの保持ウェッジを含み、該保持ウェッジが、前記少なくとも一つの凸部と係合するように構成される、請求項６記載のアクセサリ組立体。
【請求項８】
前記少なくとも一つのストラップが第一のストラップおよび第二のストラップを含み、該第一のストラップがＬ字形のストラップを含み、該第二のストラップが真っ直ぐなストラップを含み、該第一のストラップと該第二のストラップが両方とも、それぞれ、一つ以上の鳩目を含有する、請求項６記載のアクセサリ組立体。
【請求項９】
前記アクセサリ取付部と前記結合ラッチの間に配置された複数の圧縮ばねをさらに含む、請求項１記載のアクセサリ組立体。
【請求項１０】
前記アクチュエータが、前記ラッチ突起を受容するように設計された開口および前記複数の圧縮ばねを受容するように設計された複数の開口を含む、請求項９記載のアクセサリ組立体。
【請求項１１】
前記ロック機構がさらにロックを含み、該ロックが前記受容孔の方へ内向きに突出している、請求項１記載のアクセサリ組立体。
【請求項１２】
前記支持フレームが、前記受容孔を包囲する複数のラッチカラーをさらに含む、請求項１１記載のアクセサリ組立体。
【請求項１３】
前記複数のラッチカラーが第一のラッチカラーおよび第二のラッチカラーを含み、該第二のラッチカラーが前記ロック機構に隣接し、該第一のラッチカラーが前記アクチュエータに隣接する、請求項１２記載のアクセサリ組立体。
【請求項１４】
前記第二のラッチカラーが該第二のラッチカラーを二等分する開口を含む、請求項１３記載のアクセサリ組立体。
【請求項１５】
前記第二のラッチカラーを二等分する前記開口が、前記アクチュエータに加えられた力が取り除かれると除前記ロックを受容するように構成される、請求項１４記載のアクセサリ組立体。
【請求項１６】
前記少なくとも一つのストラップが弾性材料を使用して構成される、請求項１記載のアクセサリ組立体。
【請求項１７】
前記結合ラッチが、さらに、該結合ラッチの頂面側に配置され、前記アクチュエータに隣接する複数のウェッジを含み、該ウェッジが、前記受容孔の方へ該アクチュエータに加えられる内向きの力に応じて前記支持フレームの底面側に配置された複数のウェッジ受容部と係合するように構成される、請求項１記載のアクセサリ組立体。
【請求項１８】
動物用のバンドにユニットを結合するためのアクセサリ組立体において、
支持フレームであって、該支持フレームが、該支持フレームの一端に配置されたロック間隙、該支持フレームの他端に配置されたラッチ突起、基部に配置された受容孔、および、該支持フレームから延出し、反対方向に向かい合って離間してストラップの端部を受容するように設計された間隙を形成する二つのアンカーを含み、各アンカーが保持孔を含み、該ストラップが、動物用のバンドに結合するように構成され、少なくとも一つの保持突起を含み、該保持突起が前記保持孔に挿入されるように構成される、支持フレーム、および
結合ラッチの一端に配置されたアクチュエータおよび該アクチュエータとは反対側の該結合ラッチの他端に配置されたロック機構を含む結合ラッチであって、該結合ラッチは、前記ロック間隙内に該ロック機構を設置し、前記ラッチ突起周りに該アクチュエータを配置することによって前記支持フレームに結合されるように構成され、該結合ラッチは、前記受容孔の方へ該アクチュエータに加えられる力に応じて該ロック機構を横方向に移動させるようにさらに構成される、結合ラッチ
を含むアクセサリ組立体。
【請求項１９】
動物用のバンドにユニットを結合するためのアクセサリ組立体において、
支持フレームであって、該支持フレームが、該支持フレームの一端に配置されたロック間隙、該支持フレームの他端に配置されたラッチ突起、基部に配置された受容孔、および、少なくとも一つのストラップを受容するように構成された少なくとも二つのストラップ挿入スロットを含み、該ストラップが、動物用のバンドに結合するように構成される、支持フレーム、および
結合ラッチの一端に配置されたアクチュエータおよび該アクチュエータとは反対側の該結合ラッチの他端に配置されたロック機構を含む結合ラッチであって、該結合ラッチは、前記ロック間隙内に該ロック機構を設置し、前記ラッチ突起周りに該アクチュエータを配置することによって前記支持フレームに結合されるように構成され、該結合ラッチは、前記受容孔の方へ該アクチュエータに加えられる力に応じて該ロック機構を横方向に移動させるようにさらに構成される、結合ラッチ
を含むアクセサリ組立体。
【発明の詳細な説明】
【関連出願の相互参照】
【０００１】
本出願は、２０１６年１０月１２日に出願された米国特許出願第１５／２９１，８７２号に対する優先権を主張し、当該米国特許出願は、そのまま参照によって本明細書に援用する。
【技術分野】
【０００２】
本開示に記載の実施形態は、アクセサリ組立体の分野に関し、特に、動物用のバンドに携帯ユニットを結合するように設計されたアクセサリ組立体に関する。
【背景技術】
【０００３】
現在、動物用の首輪に接続される様々なアクセサリが技術的に知られている。例えば、多くの飼い主は、動物が行方不明になったり迷子になったりしたときの捜索に役立つようにペットに身元証明タグを与えている。典型的には、かかるタグは、スプリットリングを用いて首輪に取り付けられたリングにタグの円形の孔が接続されるキーリングまたはスプリットリングのデザインを用いて首輪に取り付けられる。代わりのデザインとしては、アタッチメントが当該アタッチメントの両端に二つのスリット形状の受容部を含有し、アタッチメントに首輪を「縫うように通す」ことができる「縫うように通す」デザインがある。また、代わりのデザインとしては、留め具が首輪にクリップで留まるように設計された「留め具」デザインもある。多くの場合、これらのクリップは前記アタッチメント自体の一部として形成されている。
【０００４】
技術的現状には数多くの欠点がある。まず、スプリットリングのデザインは、ペットを傷つけることなくより重い荷重を支えることができず、したがって、僅かな重量を超えるアタッチメントに対しては非実用的である。例えば、本開示は、ペット用のＧＰＳトラッカーとともに使用し得る実施形態を記載しているが、ＧＰＳトラッカーは、重量の制約により、スプリットリングのデザインとともに使用することができない。さらに、縫うように通すデザインまたは留め具デザインは、かかるデザインが既存の首輪の交換を必要とするか、各デバイスと取り替えられる必要があり、したがってかなりの無駄を生じるため、高度なアタッチメントに対しては非実用的である。さらに、多くのデザインが、アタッチメントを適所でロックするように設計されるロック機構も欠いている。
【発明の概要】
【発明が解決しようとする課題】
【０００５】
上記欠点を改善するために、本開示は、動物用のバンドにユニットを結合するためのアクセサリ組立体を提示する。
【課題を解決するための手段】
【０００６】
一実施形態において、前記アクセサリ組立体は支持フレームを含み、当該支持フレームは、当該支持フレームの一端に配置されたロック間隙、当該支持フレームの他端に配置されたラッチ突起、基部に配置された受容孔、および、少なくとも一つのストラップに結合するように構成された複数のストラップ保持構造体を含み、前記ストラップは、動物用のバンドに結合するように構成される。当該アクセサリ組立体は、結合ラッチの一端に配置されたアクチュエータおよび当該アクチュエータとは反対側の当該結合ラッチの他端に配置されたロック機構を含む結合ラッチをさらに含み、当該結合ラッチは、前記ロック間隙内に前記ロック機構を設置し、前記ラッチ突起周りに前記アクチュエータを配置することによって前記支持フレームに結合されるように構成され、当該結合ラッチは、前記受容孔の方へ前記アクチュエータに加えられる力に応じて前記ロック機構を横方向に移動させるようにさらに構成される。
【０００７】
一実施形態において、前記アクセサリ組立体は支持フレームを含み、当該支持フレームは、当該支持フレームの一端に配置されたロック間隙、当該支持フレームの他端に配置されたラッチ突起、基部に配置された受容孔、および、当該支持フレームから延出し、反対方向に向かい合って離間し、ストラップの端部を受容するように設計された間隙を形成する二つのアンカーを含み、各アンカーは保持孔を含み、前記ストラップは、動物用のバンドに結合するように構成され、少なくとも一つの保持突起を含み、当該保持突起は前記保持孔に挿入されるように構成される。当該アクセサリ組立体は、結合ラッチの一端に配置されたアクチュエータおよび当該アクチュエータとは反対側の当該結合ラッチの他端に配置されたロック機構を含む結合ラッチをさらに含み、当該結合ラッチは、前記ロック間隙内に前記ロック機構を設置し、前記ラッチ突起周りに前記アクチュエータを配置することによって前記支持フレームに結合されるように構成され、当該結合ラッチは、前記受容孔の方へ前記アクチュエータに加えられる力に応じて前記ロック機構を横方向に移動させるようにさらに構成される。
【０００８】
一実施形態において、前記アクセサリ組立体は、支持フレームであって、当該支持フレームが、当該支持フレームの一端に配置されたロック間隙、当該支持フレームの他端に配置されたラッチ突起、基部に配置された受容孔、および、少なくとも一つのストラップを受容するように構成された少なくとも二つのストラップ挿入スロットを含み、前記ストラップが、動物用のバンドに結合するように構成される。当該アクセサリ組立体は、結合ラッチの一端に配置されたアクチュエータおよび当該アクチュエータとは反対側の当該結合ラッチの他端に配置されたロック機構を含む結合ラッチをさらに含み、当該結合ラッチは、前記ロック間隙内に前記ロック機構を設置し、前記ラッチ突起周りに前記アクチュエータを配置することによって前記支持フレームに結合されるように構成され、当該結合ラッチは、前記受容孔の方へ前記アクチュエータに加えられる力に応じて前記ロック機構を横方向に移動させるようにさらに構成される。
【０００９】
本開示の上記およびその他の目的、特徴、および利点は、添付の図面に示す実施形態の下記の説明から明らかになり、添付の図面においては、参照符号は、様々な図面の全てにおいて同一の部分を指示している。図面は必ずしも正確な縮尺ではなく、それよりも本開示の原理を図解することに重きを置いている。
【図面の簡単な説明】
【００１０】
【図１Ａ】本開示の一部の実施形態に係るアクセサリ組立体の斜視図を描写している。
【図１Ｂ】本開示の一部の実施形態に係るアクセサリ組立体の分解図を描写している。
【図１Ｃ】本開示の一部の実施形態に係るアクセサリ組立体のストラップを描写している。
【図２Ａ】本開示の一部の実施形態に係るアクセサリ組立体の斜視図を描写している。
【図２Ｂ】本開示の一部の実施形態に係るアクセサリ組立体の断面図を描写している。
【図３Ａ】本開示の一部の実施形態に係るアクセサリ組立体の斜視図を描写している。
【図３Ｂ】本開示の一部の実施形態に係るアクセサリ組立体の分解図を描写している。
【発明を実施するための形態】
【００１１】
本開示は、これから、添付の図面を参照して以下により詳細に説明されることになるが、添付の図面は本開示の一部をなし、特定の例示的な実施形態を図解として示している。主題は、しかし、多様な異なる形態で実施することができ、したがって、包含される主題または請求される主題は、本開示において記述される任意の例示的な実施形態に限定されないものとみなすことを意図しており、例示的な実施形態は、説明に役立つように提供されているに過ぎない。同様に、請求される主題または包含される主題にとっての合理的に広い範囲が意図されている。とりわけ、例えば、主題は、方法、デバイス、構成部品、またはシステムとして実施することができる。したがって、実施形態は、例えば、ハードウェア、ソフトウェア、ファームウェア、またはそれらの任意の組み合わせの形態（ソフトウェアそれ自体を除く）をとることができる。下記の詳細な説明は、したがって、制限的な意味にとられることは意図していない。
【００１２】
本明細書および特許請求の範囲の全てにおいて、用語は、明記された意味を超えて文脈上示唆または暗示される微妙に異なる意味を有することができる。同様に、本開示において使用される「一実施形態において」という表現は必ずしも同一の実施形態を指しているわけではなく、本明細書で使用される「別の実施形態において」という表現は、必ずしも異なる実施形態を指しているわけではない。例えば、請求される主題が、全体的または部分的に例示的な実施形態の組み合わせを含むことが意図されている。
【００１３】
概して、専門用語は、少なくとも部分的には文脈上の使用法から理解することができる。例えば、本開示で使用される「および」、「または」、または「および／または」などの用語は、少なくとも部分的にはこのような用語が使用される文脈によって決定し得る様々な意味を含むことができる。典型的には、Ａ、Ｂ、またはＣなどのリストを結び付けるために使用される場合の「または」は、排他的な意味で使用されるＡ、Ｂ、またはＣだけではなく、包括的な意味で使用されるＡ、Ｂ、およびＣを意味することを意図している。また、本開示において使用される「一つ以上の」という用語は、少なくとも部分的には文脈に応じて、単数形の意味で任意の特徴、構造、または特性を説明するために使用されている場合、または、複数形の意味で特徴、構造、または特性の組み合わせを説明するために使用されている場合がある。同様に、「一つの」（ａ）、「一つの」（ａｎ）、または「前記」（ｔｈｅ）などの用語もやはり、少なくとも部分的には文脈に応じて、単数形の使用を表していると理解される場合、または複数形の使用を表していると理解される場合がある。また、「に基づいて」という用語は、排他的な一連の要因を表すことを必ずしも意図していないと理解することができ、むしろ、この場合も同様に、少なくとも部分的には文脈に応じて、必ずしも明記されているわけではないさらなる要因の存在を認めることができる。
【００１４】
図１Ａは、本開示の一部の実施形態に係るアクセサリ組立体の斜視図を描写している。
【００１５】
図１Ａに示すように、アクセサリ組立体１００は、支持フレーム１０２およびストラップ１０４を含む。一実施形態において、支持フレーム１０２は、ラッチカラー１１６ａと１１６ｂの間に形成された受容孔を介して外部デバイスを保持するように設計された硬質プラスチック構造体を含むことができる。一実施形態において、ストラップ１０４は、ゴムまたはその他の適度に弾性の材料から形成された弾性構造体を含むことができる。一実施形態において、ストラップ１０４は、構造体１０６ａおよび１０６ｂなどのストラップ保持構造体を介して使用者によって支持フレーム１０２に取り付けられることができる。
【００１６】
図示の実施形態において、ストラップ１０４は、ストラップ保持構造体１０６ａおよび１０６ｂを介して支持フレーム１０２に結合されている。一実施形態において、ストラップ１０４は、支持フレーム１０２の底面を包み込み、ストラップ１０４に対して垂直に保持部材を挿入することを可能にするように設計される。例えば、ストラップ１０４は、ストラップ１０４と支持フレーム１０２の間に動物の首輪を受容するように設計することができる。
【００１７】
図１Ｂについてより詳細に示すように、支持フレーム１０２は、複数のストラップ保持構造体を含むことができる。二つのストラップ保持構造体１０６ａ、１０６ｂしか示していないが、支持フレーム１０２は、ストラップ保持構造体１０６ａ、１０６ｂの反対側に設置された二つのさらなるストラップ保持構造体を含む。
【００１８】
ストラップ保持構造体１０６ａ、１０６ｂは、支持フレーム１０２から外方かつ上方に延出する「Ｊ字形の」突起を含むことができ、支持フレーム１０２に溶着させることができる。図示の実施形態では、ストラップ保持構造体１０６ａ、１０６ｂのＪ字形の構造により、図１Ｂによりはっきりと示すように、ストラップ保持構造体１０６ａ、１０６ｂの先端と支持フレーム１０２の間に間隙が生じる。ストラップ保持構造体１０６ａ、１０６ｂと支持フレーム１０２の間に形成される間隙により、支持フレーム１０２へのストラップ１０４の取り付けが可能になる。
【００１９】
図示のように、支持フレーム１０２は、上部１０８および結合ラッチ１１０を含む。一実施形態において、結合ラッチ１１０は、支持フレーム１０２の上部１０８に取り外し可能に結合される平面部および本開示においてより詳細に論じられる複数の係合部材を含む。
【００２０】
結合ラッチ１１０はアクチュエータ１１２を含む。一実施形態において、アクチュエータ１１２は、図１Ｂについてより詳細に示すように、結合ラッチ１１０に溶着させたＬ字形の垂直突起を含むことができる。図示の実施形態では、アクチュエータ１１２により、上部１０８に対する結合ラッチ１１０の操作が可能になる。具体的には、アクチュエータ１１２により、結合ラッチ１１０は、単一軸に沿って支持フレーム１０２に滑り込むことが可能になる。支持フレーム１０２に対する結合ラッチ１１０の移動は、図１Ｂについてより詳細に説明される。
【００２１】
アクチュエータ１１２を使用して結合ラッチ１１０を操作すると、当該アクチュエータをラッチ突起１１４と係合させることができる。一実施形態において、ラッチ突起１１４は、支持フレーム１０２に結合または溶着させることができ、ラッチカラー１１６ａから離れるように外方に延出する水平突起を含むことができる。図１Ｂについてより詳細に示すように、アクチュエータ１１２は、ラッチ突起１１４を受容するように設計された受容部を含むように構成することができる。したがって、アクチュエータ１１２を介して内向きの力を加えるとき、アクチュエータ１１２は、前記受容部を介してラッチ突起１１４と整列および結合することができる。
【００２２】
結合ラッチ１１０は、さらに、ロック間隙１２０内にあるロック機構１１８を含む。動作中、ロック機構１１８は、アクチュエータ１１２が動作されるとロック間隙１２０内を横方向に移動することができる。すなわち、使用者がラッチカラー１１６ａの方へアクチュエータ１１２に力を加えるとき、ロック機構１１８は、ラッチカラー１１６ａから離れるように等しく変位させることができる。結合ラッチ１１０の移動は、図１Ｂに示すように、アクチュエータ１１２と上部１０８の間に設置されたばね付勢機構を介して促進することができる。
【００２３】
ロック機構１１８はロック１２２を含むことができる。図示の実施形態では、ロック１２２は、ラッチカラー１１６ａの方へ内方かつラッチカラー１１６ｂから外方に延出する平面突起を含むことができる。動作時、ラッチカラー１１６の方へアクチュエータ１１２に力が加わると、ロック１２２は、ラッチカラー１１６ａおよび１１６ｂから離れるように変位させることができる。この動作時、ラッチカラー１１６ｂの表面は十分に湾曲していることができ、図示しない挿入部材の回転移動を可能にする。一実施形態において、当該挿入部材の回転移動は、ラッチカラー１１６ａ、１１６ｂの回転移動も含むことができる。アクチュエータ１１２にかかる前記力が取り除かれると、ロック１２２は、ラッチカラー１１６ａの方にかつラッチカラー１１６ｂから離れるように内方に変位させることができる。この動作時、ロック１２２は、ラッチカラー１１６ｂの前記湾曲表面を越えて延出することができる。一実施形態において、図示しない挿入部材は、ロック１２２を収容するように設計されたロック受容部を含むことができる。したがって、適切に配置されたとき、アクチュエータ１１２にかかる前記力を取り除くことにより、結果的に、ロック１２２が、挿入部材上に存在するロック受容部によって受容され、したがって、当該挿入部材を保持することができる。
【００２４】
図１Ｂは、本開示の一部の実施形態に係るアクセサリ組立体の分解図を描写している。
【００２５】
図１Ｂに示すように、結合ラッチ１１０は、支持フレーム１０２から取り外されており、したがって、結合ラッチ１１０の一部の実施形態に存在するさらなる構造体を示している。
【００２６】
結合ラッチ１１０は複数のウェッジ１２４ａ、１２４ｂを含むことができる。図示の実施形態では、ウェッジ１２４ａおよび１２４ｂは、支持フレーム１０２の裏側上のそれぞれのウェッジ受容部に挿入されることができる。したがって、動作時、ウェッジ１２４ａおよび１２４ｂは、結合ラッチ１１０が支持フレーム１０２と面一に配置されるように、支持フレーム１０２の下をスライドし、ウェッジ受容部に挿入されることができる。
【００２７】
図１Ｂに示すように、アクチュエータ１１２は、一つ以上の開口１２８ａ、１２８ｂ、および１２８ｃを含むことができる。一実施形態において、開口１２８ａは、ラッチ突起１１４を受容するように構成することができ、開口１２８ｂと１２８ｃは、それぞれ圧縮ばね１２６ｂと１２６ａを受容するように構成することができる。図示の実施形態では、圧縮ばね１２６ａおよび１２６ｂは、結合ラッチ１１０と支持フレーム１０２の間、具体的には、アクチュエータ１１２と支持フレーム１０２の垂直側壁の間に設置される。一実施形態において、圧縮ばね１２６ａおよび１２６ｂは、支持フレーム１０２の前記垂直側壁または（開口１２８ｂおよび１２８ｃを介して）アクチュエータ１１２のいずれかに固定的に取り付けることができる。代替的な実施形態では、圧縮ばね１２６ａおよび１２６ｂは、支持フレーム１０２の前記垂直側壁またはアクチュエータ１１２に物理的に接続されなくてもよく、代わりに、支持フレーム１０２への結合ラッチ１１０の結合前に結合ラッチ１１０上または開口１２８ｂおよび１２８ｃ内に置かれてもよい。
【００２８】
先に論じたように、圧縮ばね１２６ａおよび１２６ｂの使用により、組立体１００は、アクチュエータ１１２に力が加えられるまで「ロックされた」位置に保持されることができる。すなわち、動作中、使用者は、ウェッジ１２４ａおよび１２４ｂが支持フレーム１０２の底面側のウェッジ受容部に係合するまで支持フレーム１０２に結合ラッチ１１０を挿入する。したがって、ウェッジ１２４ａおよび１２４ｂが作動すると、圧縮ばね１２６ａおよび１２６ｂは部分的に圧縮され、アクチュエータ１１２に外向きの力を加え、当該外向きの力は、ウェッジ１２４ａおよび１２４ｂの位置決めによって打ち消される。この状態で、ロック機構１１８上に配置されたロック１２２は、ラッチカラー１１６ｂの前記湾曲した表面を越えて延出し、したがって、挿入部材の回転移動を防止する。
【００２９】
次に、使用者がラッチカラー１１６ａおよび１１６ｂに対して前記挿入部材を回転しようとする場合、使用者は、アクチュエータ１１２に対して内向きの力を加えなくてはならない。この力が加えられると、圧縮ばね１２６ａおよび１２６ｂはさらに圧縮されることができ、ロック１２２を含むロック機構１１８は、ラッチカラー１１６ｂから外方に押されることができ、したがって、ラッチカラー１１６ｂによって形成された湾曲平面からロック１２２が取り除かれる。したがって、前記アクチュエータ１１２が作動すると、両ラッチカラー１１６ａおよび１１６ｂの前記湾曲表面は壊れることがなく、円形の挿入部材は回転して配置されることができる。
【００３０】
アクチュエータ１１２が解放されると、圧縮ばね１２６ａおよび１２６ｂは減圧され、したがって、ロック機構１１８（およびロック１２２）を内方に押す。アクチュエータ１１２を解放する前に、使用者は、ロック受容部がロック１２２と整列し、当該ロック受容部にロック１２２を受容するように、前記挿入部材を適切に配置することができる。ロック１２２がロック受容部に挿入されると、前記挿入部材は、固定保持されることができ、アクチュエータが押圧されない間は回転することができない。あるいは、ロック１２２は、前記挿入部材の上方移動を防止するように構成し、したがってゲート状のロックを形成するようにしてもよい。
【００３１】
図１Ｃは、本開示の一部の実施形態に係るアクセサリ組立体のストラップを描写している。先に論じたように、アクセサリ組立体１００は、当該組立体に接続されたストラップを保持するために、ストラップ保持構造体１０６ａ、１０６ｂを備えることができる。図１Ｃに示すように、ストラップ１０４は、複数のストラップ保持具受容部１３０ａ、１３０ｂ、１３０ｃ、および１３０ｄを含むことができる。一実施形態において、ストラップ１０４は、ゴムなどの弾性材料または実質的に弾性の材料を含むことができ、ストラップ保持構造体（例えば、１０６ａ、１０６ｂ）がストラップ保持具受容部１３０ａ、１３０ｂ、１３０ｃ、および１３０ｄ内に係合することを可能にするために、当該ストラップが変形することを可能にする。あるいは、または上記と併せて、ストラップ１０４は、ストラップ保持具受容部１３０ａ、１３０ｂ、１３０ｃ、および１３０ｄに垂直にかつストラップ１０４と前記アクセサリ組立体の間に配置される保持部材を通すことを可能にするのに十分なサイズにしてもよい。
【００３２】
一実施形態において、前記保持部材は、動物によって使用されるように設計された首輪を含むことができる。この実施形態において、当該首輪は、前記組立体の裏側に配置することができ、ストラップ１０４は、当該首輪の上に配置することができる。次に、ストラップ保持具受容部１３０ａ、１３０ｂ、１３０ｃ、および１３０ｄは、前記首輪から外方に引き伸ばされ、前記ストラップ保持構造体上に設置されることができ、したがって、ストラップ１０４と前記アクセサリ組立体の間で前記首輪を包み込み、当該組立体を当該首輪に保持する。
【００３３】
図２Ａは、本開示の一部の実施形態にかかるアクセサリ組立体の斜視図を描写している。
【００３４】
図２Ａに示すように、アクセサリ組立体２００は、上部２０８および結合ラッチ２１０を含む支持フレーム２０２を含む。アクセサリ組立体２００は、さらに、アクチュエータ２１２、ラッチ２１４、ラッチカラー２１６ａおよび２１６ｂ、ロック機構２１８、間隙２２０、およびロック２２２を含むことができる。組立体２００のこれらの部分は、図１Ａから図１Ｃに示す組立体１００における等価の要素と実質的に類似の方法で構成および製造することができ、これらの部分の説明は、分かり易くするために、本開示では繰り返さない。
【００３５】
図２Ａに示すように、組立体２００は、ストラップ挿入スロット２０６ａおよび２０６ｂの形のストラップ保持構造体を含む。これらの挿入スロット２０６ａおよび２０６ｂは、支持フレーム２０２の頂面側から支持フレーム２０２の底面側まで延在する中空部を含むことができ、ストラップ２０４ａおよび２０４ｂを受容することができる。一実施形態において、使用者は、支持フレーム２０２の頂面側から挿入スロット２０６ａおよび２０６ｂを通って支持フレーム２０２の底面側までストラップ２０４ａおよび２０４ｂを縫うように通すことができる。ストラップ挿入スロット２０６ａおよび２０６ｂは、図２Ｂについてさらに詳細に論じる。
【００３６】
ストラップ２０４ａおよび２０４ｂは、複数の鳩目２３２ａ、２３２ｂ、２３４ａ、２３４ｂ、２３４ｃをさらに含むことができる。一実施形態において、鳩目２３２ａ、２３２ｂ、２３４ａ、２３４ｂ、２３４ｃは、前記組立体を保持部材に固定するために使用することができる。一実施形態において、前記保持部材は、動物に使用するための首輪を含むことができる。例えば、前記組立体を首輪に取り付けるために、使用者は、首輪を結合ラッチ２１０に隣接してかつストラップ２０４ａ、２０４ｂ間に設置することができる。使用者は、次に、鳩目２３２ｂが首輪に隣接し、首輪がストラップ２０４ｂと結合ラッチ２１０の間にあるように、内方にかつ首輪に対してストラップ２０４ｂを折り重ねることができる。次に、使用者は、ストラップ２０４ａを内方へ折り畳み、鳩目２３４ａ、２３４ｂ、または２３４ｃのうちの一つを鳩目２３２ｂと整列させることができる。最後に、使用者は、内方へとストラップ２０４ａに対してストラップ２０４ｂの先端側半分を折り重ね、鳩目２３２ａを、前記選択した鳩目２３４ａ、２３４ｂ、または２３４ｃと整列させることができる。これらのストラップを固定するために、鳩目２３２ａ、２３２ｂ、２３４ａ、２３４ｂ、２３４ｃに保持装置を通すことができる。一実施形態において、当該保持装置は、外部の紐付きデバイスを含むことができる。あるいは、当該保持装置は、鳩目２３２ａ、２３２ｂ、２３４ａ、２３４ｂ、２３４ｃの各々を縫うように通ることができる首輪の一部を含むことができる。
【００３７】
図２Ｂは、本開示の一部の実施形態に係るアクセサリ組立体の断面図を描写している。
【００３８】
図２Ｂに示すように、ストラップ挿入スロット２０６ａおよび２０６ｂは、支持フレーム２０２の頂面側から支持フレーム２０２の底面側まで延在する開口を含む。代替的な実施形態では、ストラップ保持構造体２０６ａおよび２０６ｂは、支持フレーム２０２中を部分的に延在しているだけでもよい。
【００３９】
ストラップ挿入スロット２０６ａ内では、第一の凸部２３６ａが外方に向かってストラップ挿入スロット２０６ａ内に延出し、第二の凸部２３８ａが内方に向かってストラップ挿入スロット２０６ａ内に延出している。図示の実施形態では、凸部２３６ａ、２３８ａの間に間隙２４０ａが形成され、ストラップ２０４ａの挿入を可能にしている。ストラップ挿入スロット２０６ａは、さらに、ストラップ２０４ａの保持を可能にする保持凹部２４２ａを含む。一実施形態において、保持凹部２４２ａは、内方へ支持フレーム２０２内に延在する矩形の凹部を含むことができる。
【００４０】
図２Ｂに示すように、ストラップ２０４ａおよび２０４ｂは、ストラップ保持構造体２０６ａ、２０６ｂに挿入されたときにストラップ２０４ａおよび２０４ｂの位置を保持するように構成される。具体的には、各ストラップ２０４ａ、２０４ｂは、ストラップ端部２４４ａ、２４４ｂを含む。一実施形態において、ストラップ端部２４４ａ、２４４ｂは、ストラップ２０４ａ、２０４ｂの主要部分にわたって横方向に延在する構造体を含むことができる。例えば、ストラップ端部２４４ａ、２４４ｂは、図２Ｂに示すような「Ｔ字形の」接続部を形成することができる。
【００４１】
ストラップ２０４ａ、２０４ｂは、さらに、それぞれ保持ウェッジ２４６ａ、２４６ｂを含む。一実施形態において、保持ウェッジ２４６ａ、２４６ｂは、ストラップ２０４ａ、２０４ｂから内方に向かって支持フレーム２０２まで延出する四辺形の突起を含むことができる。一実施形態において、保持ウェッジ２４６ａ、２４６ｂは、少なくとも一つの傾斜部および少なくとも一つの矩形部を含む。保持ウェッジ２４６ａ、２４６ｂにおける傾斜部の使用により、ストラップ２０４ａ、２０４ｂは、ストラップ挿入スロット２０６ａ、２０６ｂから外れることを阻止しつつストラップ挿入スロット２０６ａ、２０６ｂに容易に挿入することができる。他の実施形態において、保持ウェッジ２４６ａ、２４６ｂには、かえし状の構造体を使用してもよい。代替的な実施形態では、保持ウェッジ２４６ａ、２４６ｂの下部が支持フレーム２０２の底面側を越えて延出してもよく、保持ウェッジ２４６ａ、２４６ｂの押圧を可能にしてもよい。この実施形態では、前記装置の中心から外方に保持ウェッジ２４６ａ、２４６ｂに圧力をかけることによって、ストラップ２０４ａ、２０４ｂの取り外しを可能にすることができる。
【００４２】
図３Ａは、本開示の一部の実施形態に係るアクセサリ組立体の斜視図を描写している。
【００４３】
図３Ａに示すように、アクセサリ組立体３００は、上部３０８および結合ラッチ３１０を含む支持フレーム３０２を含む。アクセサリ組立体３００は、さらに、アクチュエータ３１２、ラッチ３１４、ラッチカラー３１６ａおよび３１６ｂ、ロック機構３１８、間隙３２０、およびロック３２２を含むことができる。組立体３００のこれらの部分は、図１Ａから図１Ｃに示す組立体１００における等価の要素と実質的に類似の方法で構成および製造することができ、これらの部分の説明は、分かり易くするために、本開示では繰り返さない。
【００４４】
図３Ａに示すように、組立体３００は、ストラップ保持構造体３０６ａおよび３０６ｂを含む。これらの構造体３０６ａおよび３０６ｂは、ストラップ３０４ａ、３０４ｂを受容するための間隙を形成する一対のアンカーを含むことができる。一実施形態において、使用者は、各アンカー内に存在する孔内に前記ストラップの一部を挿入することによって、構造体３０６ａ、３０６ｂにストラップ３０４ａおよび３０４ｂを接続することができる。ストラップ保持構造体３０６ａおよび３０６ｂは、図３Ｂについてより詳細に論じられる。
【００４５】
ストラップ３０４ａおよび３０４ｂは、複数の鳩目３３２ａ、３３２ｂ、３３４ａ、３３４ｂ、３３４ｃをさらに含むことができる。一実施形態において、鳩目３３２ａ、３３２ｂ、３３４ａ、３３４ｂ、３３４ｃは、前記組立体を保持部材に固定するために使用することができる。一実施形態において、当該保持部材は、動物に使用するための首輪を含むことができる。例えば、前記組立体を首輪に取り付けるために、使用者は、首輪を結合ラッチ３１０に隣接してかつストラップ３０４ａ、３０４ｂ間に設置することができる。使用者は、次に、鳩目３３２ｂが首輪に隣接し、首輪がストラップ３０４ｂと結合ラッチ３１０の間にあるように、内方にかつ首輪に対してストラップ３０４ｂを折り重ねることができる。次に、使用者は、ストラップ３０４ａを内方に折り畳み、鳩目３３４ａ、３３４ｂ、または３３４ｃのうちの一つを鳩目３３２ｂと整列させることができる。最後に、使用者は、内方へとストラップ３０４ａに対してストラップ３０４ｂの先端側半分を折り重ね、鳩目３３２ａを、前記選択した鳩目３３４ａ、３３４ｂ、または３３４ｃと整列させることができる。これらのストラップを固定するために、鳩目３３２ａ、３３２ｂ、３３４ａ、３３４ｂ、３３４ｃに保持装置を縫うように通すことができる。一実施形態において、当該保持装置は、外部の紐付きデバイスを含むことができる。あるいは、当該保持装置は、鳩目３３２ａ、３３２ｂ、３３４ａ、３３４ｂ、３３４ｃの各々を縫うように通ることができる首輪の一部を含むことができる。
【００４６】
図３Ｂは、本開示の一部の実施形態に係るアクセサリ組立体の分解図を描写している。
【００４７】
図３Ｂに示すように、アクセサリ組立体は、複数のストラップ保持構造体３０６ａ、３０６ｂを含むことができる。一実施形態において、ストラップ保持構造体３０６ａ、３０６ｂは、組立体３００の対向し合う端部に配置することができる。一実施形態において、ストラップ保持構造体３０６ａ、３０６ｂは、組立体３００の前記結合ラッチに対して垂直に設置することができる。
【００４８】
各ストラップ保持構造体３０６ａ、３０６ｂは、支持フレーム３０２から延出し、反対方向に向かい合って離間し、間隙を形成する二つのアンカー３３８ａから３３８ｄを含む。各アンカー３３８ａから３３８ｄは、保持孔３４０ａ、３４０ｃによって示すように、保持孔を含む。一実施形態において、保持孔３４０ａ、３４０ｃは、アンカー内に設置された半円形または円筒形の空洞を含むことができる。他の実施形態において、保持孔３４０ａ、３４０ｃは、下記で論じるように、ストラップの保持部と合致するように成形することができる。
【００４９】
ストラップ３０４ａ、３０４ｂは、保持突起３４２ａ、３４２ｂ、３４２ｃ、および３４２ｄを含有する端部を含む。一実施形態において、保持突起３４２ａ、３４２ｂ、３４２ｃ、３４２ｄは、ストラップ３０４ａ、３０４ｂの中心線から外方に延出する円筒形の突起を含む。図示の実施形態では、保持突起３４２ａ、３４２ｂ、３４２ｃ、３４２ｄは、保持孔３４０ａ、３４０ｃなどの保持孔に結合されるように設計される。例えば、ストラップ３０４ａは、アンカー３３８ａおよび３３８ｂによって形成される前記間隙に挿入することができる。ストラップ３０４ａを固定的に保持するために、保持突起３４２ａおよび３４２ｂは、前記アンカー上に位置する保持孔、例えば、孔３４０ａ、３４０ｃ内に設置することができる。
【００５０】
当業者は、本開示の前記方法およびシステムは多くの方法で実施することができ、そのようなものとして、上記の例示的な実施形態および例によって制限されてはならないことを認めるだろう。言い換えれば、ハードウェアおよびソフトウェアまたはファームウェアの様々な組み合わせにおいて単数または複数のコンポーネントによって実施される機能的要素、および個別の機能は、クライアントレベルまたはサーバレベルのいずれか、またはその両方のレベルで、ソフトウェアアプリケーション間で分配することができる。この点に関して、本開示に記載の異なる実施形態の任意の数の特徴を組み合わせて単数または複数の実施形態にすることができ、本開示に記載の全特徴よりも少ない特徴、または多い特徴を有する代替的な実施形態が可能である。
【００５１】
機能性は、現在既知の方法またはこれから既知になる方法で、全体的または部分的に、複数のコンポーネント間で分配することができる。したがって、本開示に記載の機能、特徴、インターフェース、および選好を得る際には、無数のソフトウェア／ハードウェア／ファームウェアの組み合わせが可能である。さらに、本開示の範囲は、記載の特徴および機能およびインターフェースを実行するための従来から知られている方法、および、現在および将来当業者によって理解されることになる、本開示に記載のハードウェアまたはソフトウェアまたはファームウェアのコンポーネントに対してなし得る変形および修正を包含する。
【００５２】
さらに、本開示においてフローチャートとして提示かつ説明される方法の実施形態は、本技術の理解をより深めるために一例として提供される。開示された方法は、本開示に提示されるオペレーションおよび論理フローに制限されない。様々なオペレーションの順序が改変した代替的な実施形態、および、より大きなオペレーションの一部として説明される下位オペレーションが独立して実行される代替的な実施形態が考えられる。
【００５３】
本開示のために様々な実施形態が説明されているが、かかる実施形態は、本開示の教示をこれらの実施形態に制限するものとみなされるべきではない。本開示に記載のシステムおよびプロセスの範囲内に留まる結果を得るように、上記した要素およびオペレーションに対して様々な変化および修正を行うことができる。
【００５４】
著作権表示
本出願は、著作権保護の対象となり得る事柄を含む。著作権者は、特許商標庁のファイルまたは記録に記載される本特許開示の何人による複製にも異議を唱えないが、それ以外は全ての一切の著作権を留保する。
【符号の説明】
【００５５】
１００、２００、３００  アクセサリ組立体
１０２、２０２、３０２  支持フレーム
１０４、２０４ａ、２０４ｂ、３０４ａ、３０４ｂ  ストラップ
１０６ａ、１０６ｂ、１０６ｃ、１０６ｄ、２０６ａ、２０６ｂ、３０６ａ、３０６ｂ  ストラップ保持構造体
１０８、２０８、３０８  上部
１１０、２１０、３１０  結合ラッチ
１１２、２１２、３１２  アクチュエータ
１１４、２１４、３１４  ラッチ突起（ラッチ）
１１６ａ、１１６ｂ、２１６ａ、２１６ｂ、３１６ａ、３１６ｂ  ラッチカラー
１１８、２１８、３１８  ロック機構
１２０、２２０、３２０  ロック間隙（間隙）
１２２、２２２、３２２  ロック
１２４ａ、１２４ｂ  ウェッジ
１２６ａ、１２６ｂ  圧縮ばね
１２８ａ、１２８ｂ、１２８ｃ  開口
１３０ａ、１３０ｂ、１３０ｃ、１３０ｄ  ストラップ保持具受容部
２０６ａ、２０６ｂ  ストラップ挿入スロット
２３２ａ、２３２ｂ、２３４ａ、２３４ｂ、２３４ｃ、３３２ａ、３３２ｂ、３３４ａ、３３４ｂ、３３４ｃ  鳩目
２３６ａ、２３６ｂ  第一の凸部
２３８ａ、２３８ｂ  第二の凸部
２４０ａ、２４０ｂ  間隙
２４２ａ、２４２ｂ  保持凹部
２４４ａ、２４４ｂ  ストラップ端部
２４６ａ、２４６ｂ  保持ウェッジ
３３８ａ、３３８ｂ、３３８ｃ、３３８ｄ  アンカー
３４０ａ、３４０ｃ  保持孔
３４２ａ、３４２ｂ、３４２ｃ、３４２ｄ  保持突起
【図１Ａ】
2019530437.tif 000003
【図１Ｂ】
2019530437.tif 000004
【図１Ｃ】
2019530437.tif 000005
【図２Ａ】
2019530437.tif 000006
【図２Ｂ】
2019530437.tif 000007
【図３Ａ】
2019530437.tif 000008
【図３Ｂ】
2019530437.tif 000009
【国際調査報告】
2019530437.tif 000010
2019530437.tif 000011
2019530437.tif 000012